(57)【特許請求の範囲】
【請求項１】
装置内部に発熱する電子部品を有する情報処理装置において、伝熱・放熱性能の高い材料で構成された底ケースと、前記底ケースのさらに外側に断熱性の高い材料で構成されたチルトケースとを備えることを特徴とする冷却構造を有する情報処理装置。
【請求項２】
発熱する電子部品が底ケースに直接接触、または他の伝熱部品を介し間接的に接触することを特徴とする請求項１記載の冷却構造を有する情報処理装置。
【請求項３】
チルトケースが底ケースに対して開閉可能に取り付けられたことを特徴とする請求項１記載の冷却構造を有する情報処理装置。
【請求項４】
発熱部品を有する本体部に開閉可能に取り付けられたディスプレイ部を備え、前記ディスプレイ部の開閉に連動し、前記ディスプレイ部を開けている状態ではチルトケースが底ケースより離れる方向に移動することを特徴とする冷却構造を有する請求項３記載の情報処理装置。
【発明の詳細な説明】
【０００１】
【発明の属する技術分野】
本発明はパーソナルコンピュータなどの情報処理装置に関し、詳しくは内部の発熱部品の放熱のための冷却構造を有する情報処理装置に関する。
【０００２】
【従来の技術】
近年、パーソナルコンピュータなどの情報処理装置は、その高性能化に伴い、内部のＩＣなどの電子部品からの発熱量が増えてきている。とりわけＭＰＵなどの発熱する電子部品は、放熱しなければ動作性能が確保できないため、冷却ファンや、放熱プレートなどを用いて部品表面の熱を放熱する必要がある。一方、携帯型の情報処理装置においては、可搬性の向上を目指すために小型化することが求められており、内部に大きな放熱プレートや、放熱のための空間を確保できない。このため、筐体の底ケースに伝熱性の高い材料を使用し、これらに前述の発熱する電子部品の表面の一部を接触させ、底ケースを放熱プレート代わりにして発熱部品の放熱を実現している。
【０００３】
図３は従来の冷却構造を有する情報処理装置の内部の構造を示す断面図である。図において、２１は情報処理装置の本体部で、２１ａはアルミなどの伝熱性の高い材料で形成された底ケース、２２は本体部２１に内蔵されるプリント配線基板、２３はプリント配線基板２２に実装されているＭＰＵなどの動作時に発熱を伴う電子部品、２４は一端を電子部品２３の表面の一部と接触させ、他端を底ケース２１ａに接触させているアルミなどの伝熱性の高い材料で形成された伝熱プレート、２５は図示しないヒンジ部によって本体部２１に回転可能に取り付けられているディスプレイ部である。
【０００４】
以下、従来の冷却構造を有する情報処理装置について、動作を説明する。情報処理装置が動作中は、プリント配線基板２２上に実装された多数の電子部品が発熱するが、ＭＰＵなどの発熱する電子部品２３の表面の熱は、２４の伝熱プレートを伝わって、底ケース２１ａ内面に伝熱され、底ケース２１ａの外面より本体部２１の外側に放出される。このようにして、電子部品２３が冷却される。
【０００５】
【発明が解決しようとする課題】
このような従来の冷却構造を有する情報処理装置では、放熱効率を高めるためには、内側の熱を外側により効率よく伝熱することが重要であった。一方、携帯型の情報処理装置は小型化が進み、屋外での使用時、膝の上で使用する機会が増えてきていることから、底ケースへの放熱を高め、底ケースの表面温度が上昇することは、膝の上で使用する作業者に不快感を与えるばかりではなく、ときには低温やけどの傷害を発生させる危険があった。
【０００６】
本発明は、このような従来の課題を解決するもので、携帯型の情報処理装置の内部の発熱部品の底ケースから放熱効率を高め、かつ、膝の上で使用する場合でも不快感を与えないよう、膝密着部の温度上昇を低く抑えた冷却構造を有する情報処理装置を提供することを目的とする。
【０００７】
【課題を解決するための手段】
この課題を解決するために本発明は、放熱・伝熱性能の高い底ケースに情報処理装置内部の発熱部品からの熱量を放熱させ、底ケースの外側に断熱性の高い材料で構成されたチルトケースを配置し、さらに、これがディスプレイ部の開閉と連動して、ディスプレイ部を開けている場合には、底ケースより離れる方向に移動する構造となっている。
【０００８】
これにより、使用していない状態、つまりディスプレイ部を閉じている状態では、チルトケースは底ケースに密着しているため、装置の可搬性を損なうことはない。使用状態、つまりディスプレイ部を開けている状態では、底ケースとチルトケースが離れるため、情報処理装置内部の発熱が底ケースに伝熱された場合でも、チルトケースにこの熱は伝熱されずに、チルトケースと底ケースの間の空間に放熱される。この状態で膝の上で携帯型情報処理装置を使用した場合でも、膝に熱量は伝熱されないため、底ケースはより伝熱・放熱性能の高い材料で構成することが可能であり、内部の発熱部品のより効率的な放熱が可能となる。
【０００９】
【発明の実施の形態】
本発明の請求項１に記載の発明は、装置内部に発熱する電子部品を有する携帯型情報処理装置において、伝熱・放熱性能の高い材料で構成された底ケースと、前記底ケースのさらに外側に断熱性の高い材料で構成されたチルトケースとを備えることを特徴とする冷却構造を有する情報処理装置であり、チルトケースに底ケースの熱は伝熱されない。この状態で膝の上で携帯型情報処理装置を使用した場合でも、膝に熱量は伝熱されないため、底ケースは伝熱・放熱性能の高い材料で構成でき、効果的な放熱が可能となるという作用を有する。
【００１０】
本発明の請求項２に記載の発明は、請求項１記載の冷却構造を有する情報処理装置において、発熱する電子部品が底ケースに直接接触、または他の伝熱部品を介し間接的に接触することを特徴とするもので、電子部品の熱を効率的に外部に放出できるという作用を有する。
【００１１】
本発明の請求項３に記載の発明は、請求項１記載の冷却構造を有する情報処理装置において、チルトケースが底ケースに対して開閉可能に取り付けられたことを特徴とするもので、チルトケースを底ケースに対して開くことによってできる空間に放熱されるため、膝の上で携帯型情報処理装置を使用した場合でも、膝に熱量は伝熱されず、しかも机上で使用する場合でも放熱空間が確保されるため、底ケースはより伝熱・放熱性能の高い材料で構成でき、より効果的な放熱が可能となるという作用を有する。
【００１２】
本発明の請求項４に記載の発明は、請求項３記載の冷却構造を有する情報処理装置において、発熱部品を有する本体部に開閉可能に取り付けられたディスプレイ部を備え、前記ディスプレイ部の開閉に連動し、前記ディスプレイ部を開けている状態ではチルトケースが底ケースより離れる方向に移動することを特徴とするものであり、表示部を開ける動作に連動して、チルトケースと底ケースの間に空間ができるため、使用時にこの空間を利用して自動的に放熱することができるという作用を有する。
【００１３】
以下、本発明の実施の形態について、図を用いて説明する。
（実施の形態１）
図１は本発明の一実施の形態の冷却構造を有する情報処理装置を示すもので、ディスプレイ部を開けている状態、つまり、使用状態での内部の構造を示す断面図である。図２は、ディスプレイ部を閉じた状態、つまり、携帯時などの非使用状態での内部の構造を示す断面図である。図において、１は情報処理装置の本体部で、１ａはアルミなどの伝熱性の高い材料で形成された底ケース、２は本体部１に内蔵されるプリント配線基板、３はプリント配線基板２に実装されているＭＰＵなどの動作時に発熱を伴う電子部品、４は一端を電子部品３の表面の一部と接触させ、他端を底ケース１ａに接触させているアルミなどの伝熱性の高い材料で形成された伝熱プレート、５は図示しないヒンジ部によって本体部１に回転可能に取り付けられているディスプレイ部である。また、６ａはヒンジ部の回転軸と同軸で回転する歯車Ａで、ディスプレイ部５の開閉にあわせて、同角度、同方向に回転する。６ｃの歯車Ｃは、歯車Ａ６ａが約１３５°回転する間に、つまりディスプレイ部５が約１３５°回動する間に、約１００°回転するように底ケース１ａに中心軸を固定されている。６ｂの歯車Ｂは、底ケース１ａに中心軸を固定されているものであり、歯車Ａ６ａの回転を歯車Ｃ６ｃに伝達している。７はチルトケースであり、樹脂などの断熱性の高い材料で形成され、底ケース１ａを覆うように外側に配置されており、一端を軸Ａ８により底ケース１ａに回動可能に取り付けられている。９はクランクアームであり、片端がチルトケース７のもう一端に回動可能に取り付けられ、もう片端が歯車Ｃ６ｃの外周付近に配置された軸Ｂ１０で回動可能に取り付けられている。歯車Ｃ６ｃは、ディスプレイ部５が閉じた状態の軸Ｂ１０の位置と、ディスプレイ部５を１３５°開けた状態の軸Ｂ１０の位置の間で回転する。クランクアーム９は、ディスプレイ部５を閉じた状態でチルトケース７が底ケース１ａに密着するような長さとなっている。
【００１４】
以下、本発明の冷却構造を有する情報処理装置について、動作を説明する。情報処理装置の動作中は、操作のためにディスプレイ部５を開ける。この時、歯車Ａ６ａがディスプレイ部５と同期して回転し、この回転が歯車Ｂ６ｂを介して、歯車Ｃ６ｃに伝達される。歯車Ｃ６ｃが回転すると、その外周付近に配置された軸Ｂ１０の位置も下方へ移動し、クランクアーム９を押し下げる。クランクアーム９は、軸Ａ８を支点にチルトケース７を押し下げ、チルトケース７が底ケース１ａから離れるように開く。一方、装置の動作が継続されるにしたがって、プリント配線基板２上に実装された電子部品３が発熱し高温になり、伝熱プレート４を介して、底ケース１ａに伝熱され、底ケース１ａが高温になる。このとき、チルトケース７と底ケース１ａの間には、空間が生じているので、底ケース１ａの表面より外気へ熱量が放出され、底ケース１ａが冷却される。この繰り返しで、装置内部の発熱する電子部品３の熱量が外気に放出され、電子部品が冷却される。このとき断熱性能の高いチルトケース７は、外気によっても断熱されていることから、熱量が伝わりにくく高温にはならないため、情報処理装置を携帯時に膝の上で使用しても膝に熱は伝わらない。また、机上で使用する場合でも放熱空間が確保されるため、冷却効果が高められ、机にも熱による影響を与えない。
【００１５】
このように、作業者が直接触れる部分での温度上昇を防ぎ、快適な操作環境を提供することができることから、より大きな熱量を底ケースから放熱することが可能となり、高効率な放熱構造を提供することが可能となる。
【００１６】
なお、本実施の形態では、チルトケース７の一端を底ケース１ａに回動可能に取り付けたが、このチルトケース７は底ケース１ａに平行して移動するように取り付けてもよいことはいうまでもない。
【００１７】
【発明の効果】
以上のように本発明によれば、ディスプレイ部を開けて携帯型情報機器を操作している状態では、作業者が膝などに触れる部分の温度上昇を小さく抑えることができ、その結果、より多くの熱量を底ケースに放熱し、高効率な放熱ができるという有利な効果が得られる。
【図面の簡単な説明】
【図１】本発明の一実施の形態の冷却構造を有する携帯型情報処理装置のディスプレイ部を開けている状態での内部の構造を示す断面図
【図２】本発明の一実施の形態の冷却構造を有する携帯型情報処理装置のディスプレイ部を閉じた状態での内部の構造を示す断面図
【図３】従来の冷却構造を有する携帯型情報処理装置の内部の構造を示す断面図
【符号の説明】
１ａ  底ケース
２    プリント配線基板
３    電子部品
４    伝熱プレート
５    ディスプレイ部
６ａ  歯車Ａ
６ｂ  歯車Ｂ
６ｃ  歯車Ｃ
７  チルトケース
８  軸Ａ
９  クランクアーム
１０  軸Ｂ
【図１】
0003606062.tif 000002
【図２】
0003606062.tif 000003
【図３】
0003606062.tif 000004